(57)【要約】  信号判別監視回路は、映像信号の変更時に入力される全黒信号を検出する全黒検出回路を備え、全黒検出回路により映像信号の全黒を検出すると、次に入力されるフレームの映像信号に含まれる水平同期信号の周波数が予め設定された所定値以上変化したか否かを判定することで入力された映像信号の解像度が変更されたか否かを検出し、該映像信号の解像度の変更を検出すると、該検出結果を示す変更検出信号を出力する信号判別監視回路と、変更検出信号を受信すると、表示映像を静止状態にするために映像表示信号を固定値で出力するスケーラー回路とを有する。
2010116443.tif 000002
【特許請求の範囲】
【請求項１】
入力された映像信号に基づいて映像を表示するための映像表示信号を生成し、前記映像表示信号にしたがって映像を表示する映像表示装置であって、
前記映像信号の変更時に入力される全黒信号を検出する全黒検出回路を備え、前記全黒検出回路により前記映像信号の全黒を検出すると、次に入力されるフレームの映像信号に含まれる水平同期信号の周波数が予め設定された所定値以上変化したか否かを判定することで入力された映像信号の解像度が変更されたか否かを検出し、該映像信号の解像度の変更を検出すると、該検出結果を示す変更検出信号を出力する信号判別監視回路と、
前記変更検出信号を受信すると、表示映像を静止状態にするために前記映像表示信号を固定値で出力するスケーラー回路と、
を有する映像表示装置。
【請求項２】
前記信号判別監視回路は、
変更後の映像信号に対応した画像処理の設定が完了すると、該画像処理の設定完了を示す設定完了信号を出力し、
前記スケーラー回路は、
前記設定完了信号を受信すると、前記表示映像の静止状態を解除する請求項１記載の映像表示装置。
【請求項３】
前記信号判別監視回路は、
前記全黒検出回路により前記映像信号の全黒を検出すると、該検出結果を示す黒検出信号を出力し、
前記スケーラー回路は、
前記映像信号に対して非同期な垂直同期信号であるパネル用垂直同期信号を生成する同期信号生成回路を備え、前記黒検出信号を受信すると、前記パネル用垂直同期信号と共に、生成した前記映像表示信号を出力する請求項１記載の映像表示装置。
【請求項４】
前記信号判別監視回路は、
変更後の映像信号に対応した画像処理の設定が完了すると、該画像処理の設定完了を示す設定完了信号を出力し、
前記スケーラー回路は、
前記設定完了信号を受信すると、前記変更後の映像信号から分離した垂直同期信号と共に、生成した前記映像表示信号を出力する請求項３記載の映像表示装置。
【発明の詳細な説明】
【技術分野】
【０００１】
本発明は複数種類の映像信号を受け付け可能な映像表示装置に関する。
【背景技術】
【０００２】
複数種類の映像信号（ＲＧＢ信号、ＹＣｂＣｒ信号、あるいは異なる解像度の映像信号）を受け付ける映像表示装置（例えば、プロジェクター）では、入力された映像信号の種類や解像度を判別し、その判別結果に応じて最適な画像処理に切り替えて映像を表示する。映像信号の種類や解像度を判別する方法については、例えば特許文献１に記載されている。【０００３】
なお、ＲＧＢ信号は、Ｒ（赤）、Ｇ（緑）、Ｂ（青）の３原色の色信号と複数種類の同期信号とを有し、ＹＣｂＣｒ信号は、Ｙ（輝度）信号と、Ｃｒ（Ｒ−Ｙ）の色差信号と、Ｃｂ（Ｂ−Ｙ）の色差信号と、複数種類の同期信号とを有する。【０００４】
また、映像信号の解像度には、多数のモードが知られており、例えばＶＧＡ，ＳＶＧＡ，ＸＧＡ，ＷＸＧＡ，ＳＸＧＡ，ＳＸＧＡ＋，ＷＳＸＧＡ，＋ＵＸＧＡ，ＷＵＸＧＡ，ＱＸＧＡ等がある。【０００５】
図１は、背景技術の映像表示装置の構成を示すブロック図である。なお、図１に示す映像表示装置は、上記特許文献１に記載された構成である。【０００６】
図１に示すように、背景技術の映像表示装置は、Ａ／Ｄコンバータ１、信号判別監視回路２、スケーラー（Scaler）回路３、ＣＰＵ４、パネル（Panel）駆動回路５及び表示パネル６を備えている。【０００７】
Ａ／Ｄコンバータ１は、コンピュータや種々の映像再生装置から入力された、同期信号を含む映像信号をデジタル信号に変換する。【０００８】
信号判別監視回路２は、入力された映像信号（以下、入力映像信号と称す）から水平同期信号及び垂直同期信号を分離し、該水平同期信号及び垂直同期信号から入力映像信号の種類や解像度の判別に必要な各種の情報を検出し、検出した情報をＣＰＵへ出力する。なお、映像表示装置には、不図示の同期分離部によって映像信号から水平同期信号及び垂直同期信号が分離されて信号判別監視回路２に供給される構成もある。【０００９】
信号判別監視回路２で検出する情報としては、水平同期周波数、垂直同期周波数、総ライン数、同期極性（NegaまたはPosi）、同期タイプ（Sep（水平、垂直周波数）、ＣＳ（コンポジットシンク：複合同期）またはＳｙｎｃ  ｏｎ  Ｇ（緑信号同期）、Ｔｒｉ  Ｓｙｎｃ（三値同期））、スキャンタイプ（Interlaced：インターレース、またはNon-Interlaced：ノンインターレース）、垂直同期幅、有効映像ライン数等がある。【００１０】
ＣＰＵ４は、信号判別監視回路２で検出された情報を用いて入力映像信号の変更有無並びに変更後の入力映像信号の種類や解像度を判別し、該判別結果に基づいて入力映像信号に対応した画像処理で必要な各種の設定処理を行う。ＣＰＵ４が設定するパラメータとしては、例えばＡ／Ｄコンバータ１で用いるクロックを生成するためのＰＬＬ回路（不図示）の分周比や位相、スケーラー回路３で用いる解像度変換用データ、表示映像のアスペクト比、カラーシステム等がある。【００１１】
スケーラー回路３は、ＣＰＵ４によって設定されたパラメータにしたがって入力映像信号の解像度を表示パネル６の解像度に変換し、表示パネル６に映像を表示させるための映像表示信号を生成してパネル駆動回路５へ出力する。【００１２】
信号判別監視回路２及びスケーラー回路３は、メモリ、各種の論理回路から成るＬＳＩ、プログラムにしたがって処理を実行するＣＰＵ等によって実現できる。【００１３】
パネル駆動回路５は、スケーラー回路３から出力された映像表示信号にしたがって表示パネル６に映像を形成する。表示パネル６に形成された映像は、例えば光源を含む不図示の投射用光学系によってスクリーン等へ投影される。【００１４】
表示パネル６には、映像表示装置が直視型の表示装置の場合は、例えばＬＣＤ（Liquid  Crystal  Display）が用いられ、映像表示装置が投射型の表示装置の場合は、例えばＤＭＤ（Digital  Mirror  Device）が用いられる。【００１５】
図１に示すように、スケーラー回路３は、フレームメモリ３１、映像入力部３２、解像度変換部３３、映像出力部３４、同期切替えスイッチ３５及び同期信号生成回路３６を備えている。【００１６】
フレームメモリ３１は、順次入力される映像信号のデータ（以下、映像データと称す）を１フレーム単位で一時的に保存する。フレームメモリ３１は、例えば３フレーム以上の映像データが格納可能なメモリ容量を備えている。フレームメモリ３１には映像入力部３２によって映像データが１フレーム単位で保存され、解像度変換部３３によって解像度が変換された後、映像出力部３４により映像表示信号としてパネル駆動部５へ出力される。【００１７】
このとき、同期切替えスイッチ３５は、ＣＰＵ４からの指示にしたがって入力映像信号から分離された垂直同期信号、または同期信号生成回路３６で生成した、入力映像信号に対して非同期なパネル用垂直同期信号（６０Ｈｚ）のいずれか一方を映像出力部３４へ供給する。映像出力部３４は、同期切替えスイッチ３５から供給された垂直同期信号を映像表示信号と共にパネル駆動回路５へ出力する。【００１８】
例えば表示パネル６で表示可能な垂直同期周波数が６０Ｈｚ以下の場合、入力映像信号から分離した垂直同期信号の周波数が６０Ｈｚよりも高いと、該垂直同期信号に同期して表示パネル６に映像を表示できないことがある。そこで、背景技術の映像表示装置では、入力映像信号から得られる垂直同期信号の周波数が６０Ｈｚ以下の場合は、この垂直同期信号を用いて表示パネル６に映像を表示し、６０Ｈｚより高い周波数の場合は入力映像信号に対して非同期なパネル用垂直同期信号（６０Ｈｚ）を用いて表示パネル６に映像を表示している。【００１９】
このような構成において、図１に示した映像表示装置では、入力映像信号の種類や解像度を判別する信号判別処理、判別した入力映像信号に対応した画像処理を設定する画像処理設定、映像信号の変化を監視する信号監視処理を順次実行することで、入力映像信号の種類や解像度を誤りなく判定し、該映像信号に対応した適切な画像処理を実施して映像を表示している。【００２０】
次に、図１に示した背景技術の映像表示装置で実行する信号判別処理、画像処理設定及び信号監視処理について具体的に説明する。【００２１】
以下では、映像再生装置としてコンピュータが用いられ、該コンピュータの外部映像出力端子から出力された映像信号（ＲＧＢ信号）が映像表示装置へ入力され、該映像信号の解像度がＷＳＸＧＡ＋からＷＵＸＧＡへ切り替わる場合を例にして背景技術の映像表示装置の動作について説明する。なお、ＷＳＸＧＡ＋の信号仕様は表１に示すとおりであり、ＷＵＸＧＡの信号仕様は表２に示すとおりである。【００２２】
【表１】
2010116443.tif 000003
【００２３】
【表２】
2010116443.tif 000004
映像表示装置は、ＷＳＸＧＡ＋の映像信号が入力されると、まず信号判別処理として、信号判別監視回路２により水平同期信号及び垂直同期信号の間隔を所定の基準クロックを用いてカウントし、水平同期周波数（６４．６７４ＫＨｚ：誤差±１％精度）及び垂直同期周波数（５９．８８３Ｈｚ：誤差±０．５％精度）をそれぞれ測定する。【００２４】
また、信号判別監視回路２は、水平同期周波数及び垂直同期周波数の測定時に得られたカウント値より映像信号の総ライン数（１０８０Line：誤差±１％精度）を算出し、算出した総ライン数を基に、入力映像信号の有効映像ライン数を決定する（１０５０Line）。【００２５】
さらに、信号判別監視回路２は、水平同期信号及び垂直同期信号から映像信号の同期極性（Ｈ：Posi、Ｖ：Nega）、同期タイプ（Sep）、スキャンタイプ（Non-Interlaced）及び垂直同期信号幅（６Line）を検出し、これらの情報をＣＰＵ４へ出力する。【００２６】
ＣＰＵ４は、信号判別監視回路２で検出した各種の情報から入力映像信号の種類（ＲＧＢ信号）及び解像度（ＷＳＸＧＡ＋）を確定し、表示映像のアスペクト比１６：１０を決定する。【００２７】
このとき、ＣＰＵ４は、入力映像信号に変更があるか否かの誤判定を避けるため、ＣＰＵ４の処理周期（例えば、２５ｍｓｅｃ）毎に信号判別監視回路２から複数回（例えば、５回）情報（例えば、水平同期周波数）を取得し、その情報を基に入力映像信号の変更を検出する。また、入力映像信号の変更を検出すると、信号判別監視回路２から複数回（例えば、３回）情報を取得し、変更後の入力映像信号の種類や解像度を判定する。【００２８】
ＣＰＵ４は、入力映像信号の種類や解像度が確定すると、画像処理設定に移行し、確定した入力映像信号の種類（ＲＧＢ信号）や解像度（ＷＳＸＧＡ＋）に対応したパラメータ値（Ａ／Ｄコンバータ１用の分周比及び位相、スケーラー回路３用の解像度変換データ、アスペクト比、カラーシステム）をＡ／Ｄコンバータ１及びスケーラー回路３に供給する。【００２９】
その後、映像表示装置は、入力映像信号の信号監視処理へ移行する。【００３０】
信号監視処理では、測定精度を信号判別処理よりも狭い範囲に設定して、信号判別監視回路２により、上記信号判別処理と同様に、入力映像信号の水平同期周波数（６４．７ＫＨｚ：誤差±０．５％精度）および垂直同期周波数（６０Ｈｚ：誤差±０．２５％精度）の測定で得られたカウント値より入力映像信号の総ライン数１０８０Ｌｉｎｅ（誤差±０．５％精度）を算出する。【００３１】
また、ＣＰＵ４は、その処理周期毎に、信号判別監視回路２で検出された同期極性（Ｈ：Posi、Ｖ：Nega）、同期タイプ（Sep）、スキャンタイプ（Non-Interlaced）、垂直同期幅を取得し、入力映像信号の種類や解像度の変化を監視する。【００３２】
そして、映像表示装置は、入力映像信号がＷＳＸＧＡ＋からＷＵＸＧＡに変更された場合は、信号判別監視回路２で信号が変わったことを検出し、表示映像をミュート（Mute）し、信号判別処理に移行する。なお、このとき背景技術の映像表示装置では、入力映像信号が変更されると、ブルー映像やロゴ（Logo）を表示する場合もある。【００３３】
信号判別処理では、上記と同様に、信号判別監視回路２により水平同期信号及び垂直同期信号の間隔を所定の基準クロックを用いてカウントし、水平同期周波数（７４．０３８ＫＨｚ：誤差±１％精度）及び垂直同期周波数（５９．９５Ｈｚ：誤差±０．５％精度）をそれぞれ測定する。【００３４】
また、信号判別監視回路２は、水平同期周波数及び垂直同期周波数のカウント値より映像信号の総ライン数（１２３５Line：誤差±１％精度）を算出し、算出した総ライン数を基に、入力映像信号の有効映像ライン数を決定する（１２００Line）。【００３５】
さらに、信号判別監視回路２は、水平同期信号及び垂直同期信号から映像信号の同期極性（Ｈ：Posi、Ｖ：Nega）、同期タイプ（Sep）、スキャンタイプ（Non-Interlaced）及び垂直同期信号幅（６Line）を検出し、これらの情報をＣＰＵ４へ出力する。【００３６】
ＣＰＵ４は、信号判別監視回路２で検出した各種の情報から入力映像信号の種類（ＲＧＢ信号）及び解像度（ＷＵＸＧＡ）を確定し、アスペクト比１６：１０を決定する。【００３７】
このとき、ＣＰＵ４は、入力映像信号に変更があるか否かの誤判定を避けるため、ＣＰＵ４の処理周期（例えば、２５ｍｓｅｃ）毎に信号判別監視回路２から複数回（例えば、５回）情報（例えば、水平同期周波数）を取得し、その情報を基に入力映像信号の変更を検出する。また、入力映像信号の変更を検出すると、信号判別監視回路２から複数回（例えば、３回）情報を取得し、変更後の入力映像信号の種類や解像度を判定する。【００３８】
ＣＰＵ４は、入力映像信号の種類や解像度が確定すると、画像処理設定に移行し、確定した入力映像信号の種類（ＲＧＢ信号）や解像度（ＷＵＸＧＡ）に対応したパラメータ値（Ａ／Ｄコンバータ１用の分周比及び位相、スケーラー回路３用の解像度変換データ、アスペクト比、カラーシステム）をＡ／Ｄコンバータ１及びスケーラー回路３に供給する。【００３９】
以降、映像表示装置は、映像信号の信号監視処理へ移行し、上記と同様の処理を繰り返す。【００４０】
ここで、入力映像信号が変更されたか否かの判定に要する時間は、上述したように誤判定を避けるために信号判別監視回路２による複数回の検出結果を用いるため、入力映像信号の安定度に依存する。そのため、背景技術の映像表示装置では、入力映像信号の変更有無を判定するまでに１秒から２秒程度要する。また、入力映像信号の変更有無の判定に時間を要することで、入力映像信号が変更されてから変更後の入力映像信号の種類や解像度に応じた画像処理が確定するまでに２秒から４秒程度の時間を要する。そのため、これらの処理の間に乱れた映像が表示されてしまう問題もある。
【先行技術文献】
【００４１】
【特許文献１】特開２００７−９６８７５号公報
【発明の開示】
【００４２】
そこで、本発明は、入力される映像信号の種類や解像度の変更有無をより短い時間で判定できると共に変更時の表示画像の乱れがない映像表示装置を提供することを目的とする。
【００４３】
上記目的を達成するため本発明の映像表示装置は、入力された映像信号に基づいて映像を表示するための映像表示信号を生成し、前記映像表示信号にしたがって映像を表示する映像表示装置であって、
前記映像信号の変更時に入力される全黒信号を検出する全黒検出回路を備え、前記全黒検出回路により前記映像信号の全黒を検出すると、次に入力されるフレームの映像信号に含まれる水平同期信号の周波数が予め設定された所定値以上変化したか否かを判定することで入力された映像信号の解像度が変更されたか否かを検出し、該映像信号の解像度の変更を検出すると、該検出結果を示す変更検出信号を出力する信号判別監視回路と、
前記変更検出信号を受信すると、表示映像を静止状態にするために前記映像表示信号を固定値で出力するスケーラー回路と、
を有する。
【図面の簡単な説明】
【００４４】
【図１】図１は、背景技術の映像表示装置の構成を示すブロック図である。
【図２】図２は、外部へ出力する映像信号を切替えるときの映像再生装置の動作例を示す模式図である。
【図３】図３は、本発明の映像表示装置の一構成例を示すブロック図である。
【図４】図４は、図３に示した全黒検出回路の一構成例を示すブロック図である。
【図５】図５は、図３に示した映像表示装置の入力映像信号の変更時の動作例を示す模式図である。
【発明を実施するための最良の形態】
【００４５】
次に本発明について図面を参照して説明する。【００４６】
一般に、コンピュータや種々の映像再生装置では、外部の映像表示装置に対して出力する映像信号の種類や解像度を変更する場合、該映像信号を、一旦、全黒（０Ｖ）に設定し、その後、種類や解像度を変更した映像信号を出力する。【００４７】
図２は外部へ出力する映像信号を切替えるときの映像再生装置の動作例を示す模式図である。図２は映像信号の解像度をＷＳＸＧＡ＋からＷＵＸＧＡへ変更する場合の、映像再生装置（コンピュータ）の動作例を示している。【００４８】
図２に示すように、映像信号の解像度をＷＳＸＧＡ＋からＷＵＸＧＡへ変更する場合、コンピュータは、まずＷＳＸＧＡ＋の信号仕様を維持しつつ映像をミュート（全黒）する。【００４９】
次に、コンピュータは、映像をミュート（全黒）しつつ信号仕様をＷＵＸＧＡへ変更する。【００５０】
最後に、コンピュータは、映像のミュート（全黒）を解除する。【００５１】
本発明の映像表示装置では、入力映像の全黒（０Ｖ）を検出することで入力映像信号の種類や解像度の変更有無を判定すると共に、入力映像信号の種類や解像度の変更時に表示映像の乱れを抑制するための手法を提案する。【００５２】
図３は本発明の映像表示装置の一構成例を示すブロック図である。【００５３】
図３に示すように、本発明の映像表示装置は、図１に示した背景技術の映像表示装置が備える信号判別監視回路２に、入力映像信号が全黒（０Ｖ）であるか否かを検出する全黒検出回路２１を追加した構成である。映像表示装置のその他の構成は図１に示した背景技術の映像表示装置と同様であるため、その説明は省略する。【００５４】
図４は、図３に示した全黒検出回路の一構成例を示すブロック図である。【００５５】
図４に示すように、全黒検出回路２１は、比較器５３、ＡＮＤ回路５４、第１のラッチ回路５６及び第２のラッチ回路５８を備えている。【００５６】
比較器５３は、入力映像信号（ＲＧＢ信号）の色毎の信号レベルと予め設定された黒レベル値とを比較し、その比較結果を出力する。比較器５３は、例えば、入力映像信号の各色の信号レベルがそれぞれ黒レベル値よりも小さい場合、比較結果として値「１」（黒Level）を出力する。映像信号の色毎の信号レベルが１色でも黒レベル値より大きい場合、比較結果として値「０」（非黒Ｌｅｖｅｌ）を出力する。【００５７】
ＡＮＤ回路５４は、比較器５３の出力値と第１のラッチ回路５６の出力値の論理積結果（１Bit）を、第１のラッチ回路５６及び第２のラッチ回路５８にそれぞれ出力する。【００５８】
第１のラッチ回路５６は、水平同期信号及び垂直同期信号からＰＬＬ回路（不図示）によって生成された、これらの同期信号に同期したドットクロック信号（ＤｏｔＣＬＫ）の立ち上りまたは立ち下りに同期してＡＮＤ回路５４から出力された論理積結果をラッチ（記憶）し、ラッチした値をＡＮＤ回路５４の入力に帰還する。第１のラッチ回路５６でラッチ（記憶）している値は、垂直同期信号のタイミングで初期値（この場合は「１」）にリセットされる。【００５９】
すなわち、ＡＮＤ回路５４は、パルス状の垂直同期信号が出力されてから次の垂直同期信号が出力されるまでに、入力映像信号の各色の信号レベルが黒レベル値よりも小さければ値「１」（黒Level）を出力し続け、入力映像信号の各色の信号レベルが黒レベル値よりも一瞬でも大きくなると値「０」（非黒Level）を出力し続ける。【００６０】
ＡＮＤ回路５４の出力値は、垂直同期信号のタイミングで第２のラッチ回路５８でラッチ（記憶）され、黒検出信号として出力される。第２のラッチ回路５８から出力される黒検出信号は、垂直同期信号のタイミングで更新される。【００６１】
図５は、図３に示した映像表示装置の入力映像信号の変更時の動作例を示す模式図である。【００６２】
なお、図５は、横軸方向に配置された映像表示装置の各構成要素に対応する入力画像が時間の推移（縦軸方向）と共に変化していく様子を示している。また、図５は、入力映像信号の解像度がＷＳＸＧＡ＋からＷＵＸＧＡに切り替わるときの様子を示している。映像表示装置が備える表示パネルの解像度はＷＵＸＧＡに対応しているものとする。【００６３】
図５に示すように、映像信号の解像度をＷＳＸＧＡ＋からＷＵＸＧＡへ変更するため、本実施形態の映像表示装置に全黒（０Ｖ）の映像信号が入力されると（図５（ａ））、信号判別監視回路２が備える全黒検出回路２１により入力映像信号の全黒（０Ｖ）が検出される。【００６４】
本実施形態の映像表示装置は、信号判別監視回路２の全黒検出回路２１により映像信号が全黒（０Ｖ）であることを検出すると、信号判別処理に移行し、信号判別監視回路２から全黒（０Ｖ）の検出結果を示す黒検出信号を、ＣＰＵ４を介すことなくスケーラー回路３に出力する。スケーラー回路３は、信号判別監視回路２から黒検出信号を受信すると、同期切替えスイッチ３５により同期信号生成回路３６で生成した、入力映像信号に対して非同期なパネル用垂直同期信号（６０Ｈｚ）を映像出力部３４に供給し、映像出力部３４により映像表示信号と共にパネル用垂直同期信号（６０Ｈｚ）をパネル駆動回路５へ出力する（図５（ｂ））。【００６５】
信号判別監視回路２は、信号判別処理に移行すると、まず切替え後の映像信号に含まれる水平同期信号及び垂直同期信号の間隔を所定の基準クロックを用いてカウントし、水平同期周波数（７４．０３８ＫＨｚ：誤差±１％精度）及び垂直同期周波数（５９．９５Ｈｚ：誤差±０．５％精度）をそれぞれ測定する。【００６６】
また、信号判別監視回路２は、全黒検出回路２１により入力映像信号の全黒（０Ｖ）を検出すると、次に入力されるフレーム（１６．６７ｍｓｅｃ後）の映像信号に含まれる水平同期信号の周波数が予め設定された所定値（例えば、±０．５％）以上変化したか否かを判定することで、入力映像信号の解像度が変更されたか否かを検出する。信号判別監視回路２は、水平同期信号の周波数が所定値以上変化している場合、該検出結果を示す変更検出信号を、ＣＰＵ４を介すことなくスケーラー回路３へ出力する（図５（ｃ））。スケーラー回路３は、信号判別監視回路２から変更検出信号を受信すると、映像出力部３４から出力する映像表示信号を固定値に設定し、表示パネル６で表示する映像を静止（Freeze）させる。【００６７】
また、信号判別監視回路２は、水平同期周波数及び垂直同期周波数のカウント値より映像信号の総ライン数（１２３５Line：誤差±１％精度）を算出し、算出した総ライン数を基に、入力映像信号の有効映像ライン数を決定する（１２００Line）。【００６８】
さらに、信号判別監視回路２は、水平同期信号及び垂直同期信号から映像信号の同期極性（Ｈ：Posi、Ｖ：Nega）、同期タイプ（Sep）、スキャンタイプ（Non-Interlaced）及び垂直同期信号幅（６Line）を検出し、これらの情報をＣＰＵ４へ出力する。【００６９】
ＣＰＵ４は、信号判別監視回路２で取得した各種の情報から入力映像信号の種類（ＲＧＢ信号）及び解像度（ＷＵＸＧＡ）を判定し、アスペクト比１６：１０を確定する。【００７０】
ＣＰＵ４は、入力映像信号の種類や解像度が確定すると、画像処理設定に移行し、確定した入力映像信号の種類や解像度（ＷＵＸＧＡ）に対応したパラメータ値（Ａ／Ｄコンバータ１用の分周比及び位相、スケーラー回路３用の解像度変換データ、アスペクト比、カラーシステム）をＡ／Ｄコンバータ１及びスケーラー回路３に供給する。このとき、信号判別監視回路２は、スケーラー回路３の映像出力部３４に表示映像の静止状態（freeze）を維持させる（図５（ｄ））。【００７１】
ＣＰＵ４による画像処理設定が完了すると、信号判別監視回路２は、画像処理設定完了を示す設定完了信号をスケーラー回路３に出力する。【００７２】
スケーラー回路３は、信号判別監視回路２から設定完了信号を受信すると、映像出力部３４による表示映像の静止状態を解除し、同期切替えスイッチ３５により入力映像信号から分離した垂直同期信号を映像出力部３４に供給し、映像出力部３４により該垂直同期信号及び変更後の映像信号から生成した映像表示信号をパネル駆動回路５へ出力する（図５（ｅ））。【００７３】
ここで、図５に示す動作例では、入力映像信号の解像度をＷＳＸＧＡ＋からＷＵＸＧＡへ切替えているため、垂直同期周波数は共に６０Ｈｚ以下である。したがって、画像処理設定後、ＷＳＸＧＡ＋の映像信号及びＷＵＸＧＡの映像信号は、入力映像信号の垂直同期信号に同期して表示パネル６に映像が表示される。そのため、信号判別処理及び画像処理設定時にパネル用垂直同期信号（６０Ｈｚ）を用いる必要がないようにも考えられる。【００７４】
しかしながら、表１及び表２で示したように、ＷＳＸＧＡ＋の垂直同期周波数は５９．８８３Ｈｚであり、ＷＵＸＧＡの垂直同期周波数は５９．９５Ｈｚであるため、わずかに異なっている。そのため、信号判別処理及び画像処理設定時に入力映像信号から分離した垂直同期信号を用いると、表示映像の静止状態（Freeze）を解除した瞬間に表示映像が垂直方向に微動する可能性がある。【００７５】
そのため、本実施形態の映像表示装置では、入力映像信号の全黒を検出した時点で、非同期のパネル用垂直同期信号（６０Ｈｚ）を用いた映像表示に切替え、信号判別処理及び画像処理設定の完了後、変更後の入力映像信号から分離した垂直同期信号を用いた映像表示に切替える（図５（ｆ））。【００７６】
最後に、映像表示装置は、信号監視処理に移行する。信号判別監視回路２は、信号監視処理において、ＣＰＵ４の処理周期（例えば、２５ｍｓｅｃ）ではなく、入力映像信号から分離した垂直同期信号の周期毎（垂直同期周波数が６０Ｈｚの場合は１６．６７ｍｓｅｃ）に、入力映像信号の種類及び解像度の変化を上記信号判別処理と同様の手順で監視する。【００７７】
本発明の映像表示装置によれば、入力映像信号の全黒を検出した時点で入力映像信号に変更があると判定し、次に入力されるフレームの映像信号に含まれる、例えば水平同期周波数の変化の有無により入力映像信号の解像度の変更を検出するため、背景技術のように信号判別監視回路２による複数回の検出結果を用いて入力映像信号の変更有無を判定する必要がない。そのため、入力映像信号の変更有無の判定に要する時間を短縮できる。【００７８】
また、本実施形態の映像表示装置では、水平同期周波数の変化により入力映像信号の解像度の変更を検出すると、表示映像を静止させ、変更後の入力映像信号に対応した画像処理設定が完了した後、表示映像の静止状態を解除するため、表示映像が乱れることなく、かつ継ぎ目なく、変更後の入力映像信号の種類や解像度に応じた映像を表示できる。【００７９】
以上、実施形態を参照して本願発明を説明したが、本願発明は上記実施形態に限定されものではない。本願発明の構成や詳細は本願発明のスコープ内で当業者が理解し得る様々な変更が可能である。
【図１】
2010116443.tif 000005
【図２】
2010116443.tif 000006
【図３】
2010116443.tif 000007
【図４】
2010116443.tif 000008
【図５】
2010116443.tif 000009
【国際調査報告】
2010116443.tif 000010
2010116443.tif 000011
2010116443.tif 000012
2010116443.tif 000013